(57)【要約】【課題】この発明は、汎用の重み付けフィルタを使用して、スケーリングの倍率にかかわらずスケーリング縞の発生を抑えることができ、実用に好適する映像信号処理装置及び映像信号処理方法を提供することを目的としている。【解決手段】映像信号を受信する受信手段２６ａ，２６ｇと、受信された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返すフィルタ手段２６ｂ〜２６ｅ，２６ｈ〜２６ｋと、出力すべき画素の位置を判別するためのスケーリング比率に基づいて、複数回フィルタリング処理される画素のうちから取り出す画素を選択する選択手段２６ｆ，２６ｌ，２６ｎとを備える。【選択図】    図５
2006019950.tif 000002
【特許請求の範囲】
【請求項１】
放送信号を受信する受信手段と、
前記受信手段で受信された放送信号から映像信号を復元する処理手段と、
前記処理手段で復元された映像信号の隣接する画素に対して重み付けがほぼ３対１の比率となる位置に新たな画素を生成し、その生成された画素に対して重み付けがほぼ３対１の比率となる位置に新たな画素を生成するという処理を複数回繰り返すフィルタ手段と、
前記処理手段で復元された映像信号の画素数と出力すべき画素数とに基づいて、出力すべき画素の位置を判別するためのスケーリング比率を算出する算出手段と、
前記算出手段で算出されたスケーリング比率に基づいて、前記フィルタ手段で複数回処理される画素のうちから取り出す画素を選択する選択手段と、
前記選択手段で選択された画素に基づいて映像表示を行なう映像表示手段とを具備することを特徴とする映像信号処理装置。
【請求項２】
放送信号を受信する受信手段と、
前記受信手段で受信された放送信号から映像信号を復元する処理手段と、
前記処理手段で復元された映像信号の隣接する画素に対して重み付けがほぼ３対１の比率となる位置に新たな画素を生成し、その生成された画素に対して重み付けがほぼ３対１の比率となる位置に新たな画素を生成するという処理を複数回繰り返すフィルタ手段と、
前記処理手段で復元された映像信号の画素数と出力すべき画素数とに基づいて、出力すべき画素の位置を判別するためのスケーリング比率を算出する算出手段と、
前記算出手段で算出されたスケーリング比率に基づいて、前記フィルタ手段で複数回処理される画素のうちから取り出す画素を選択する選択手段と、
前記選択手段で選択された画素を出力する出力手段とを具備することを特徴とする映像信号処理装置。
【請求項３】
映像信号を受信する受信手段と、
前記受信手段で受信された映像信号の隣接する画素に対して重み付けがほぼ３対１の比率となる位置に新たな画素を生成し、その生成された画素に対して重み付けがほぼ３対１の比率となる位置に新たな画素を生成するという処理を複数回繰り返すフィルタ手段と、
前記受信手段で受信された映像信号の画素数と出力すべき画素数とに基づいて、出力すべき画素の位置を判別するためのスケーリング比率を算出する算出手段と、
前記算出手段で算出されたスケーリング比率に基づいて、前記フィルタ手段で複数回処理される画素のうちから取り出す画素を選択する選択手段と、
前記選択手段で選択された画素に基づいて映像表示を行なう映像表示手段とを具備することを特徴とする映像信号処理装置。
【請求項４】
映像信号を受信する受信手段と、
前記受信手段で受信された映像信号の隣接する画素に対して重み付けがほぼ３対１の比率となる位置に新たな画素を生成し、その生成された画素に対して重み付けがほぼ３対１の比率となる位置に新たな画素を生成するという処理を複数回繰り返すフィルタ手段と、
出力すべき画素の位置を判別するためのスケーリング比率に基づいて、前記フィルタ手段で複数回処理される画素のうちから取り出す画素を選択する選択手段とを具備することを特徴とする映像信号処理装置。
【請求項５】
前記フィルタ手段は、
それぞれが、入力された映像信号の水平方向に隣接する画素に対して重み付けがほぼ３対１の比率となる位置に新たな画素を生成する、多段接続された複数の第１の重み付けフィルタと、
それぞれが、入力された映像信号の垂直方向に隣接する画素に対して重み付けがほぼ３対１の比率となる位置に新たな画素を生成する、多段接続された複数の第２の重み付けフィルタとを具備することを特徴とする請求項１乃至４いずれかに記載の映像信号処理装置。
【請求項６】
前記選択手段は、
前記スケーリング比率に基づいて、前記複数の第１の重み付けフィルタでそれぞれ生成された各画素のいずれかを選択する第１の選択部と、
前記スケーリング比率に基づいて、前記複数の第２の重み付けフィルタでそれぞれ生成された各画素のいずれかを選択する第２の選択部と、
前記第１の選択部で選択された画素と前記第２の選択部で選択された画素とを合成する合成部とを具備することを特徴とする請求項５記載の映像信号処理装置。
【請求項７】
放送信号を受信する工程と、
受信された放送信号から映像信号を復元する工程と、
復元された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返す工程と、
復元された映像信号の画素数と出力すべき画素数とに基づいて、出力すべき画素の位置を判別するためのスケーリング比率を算出する工程と、
算出されたスケーリング比率に基づいて、複数回フィルタリング処理される画素のうちから取り出す画素を選択する工程と、
選択された画素に基づいて映像表示を行なう工程とを具備することを特徴とする映像信号処理方法。
【請求項８】
放送信号を受信する工程と、
受信された放送信号から映像信号を復元する工程と、
復元された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返す工程と、
復元された映像信号の画素数と出力すべき画素数とに基づいて、出力すべき画素の位置を判別するためのスケーリング比率を算出する工程と、
算出されたスケーリング比率に基づいて、複数回フィルタリング処理される画素のうちから取り出す画素を選択する工程と、
選択された画素を出力する工程とを具備することを特徴とする映像信号処理方法。
【請求項９】
映像信号を受信する工程と、
受信された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返す工程と、
受信された映像信号の画素数と出力すべき画素数とに基づいて、出力すべき画素の位置を判別するためのスケーリング比率を算出する工程と、
算出されたスケーリング比率に基づいて、複数回フィルタリング処理される画素のうちから取り出す画素を選択する工程と、
選択された画素に基づいて映像表示を行なう工程とを具備することを特徴とする映像信号処理方法。
【請求項１０】
映像信号を受信する工程と、
受信された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返す工程と、
出力すべき画素の位置を判別するためのスケーリング比率に基づいて、複数回フィルタリング処理される画素のうちから取り出す画素を選択する工程とを具備することを特徴とする映像信号処理方法。
【請求項１１】
前記フィルタリング処理を複数回繰り返す工程は、
多段接続された複数の第１の重み付けフィルタのそれぞれにより、入力された映像信号の水平方向に隣接する画素に対して重み付けがほぼ３対１の比率となる位置に新たな画素を生成する工程と、
多段接続された複数の第２の重み付けフィルタのそれぞれにより、入力された映像信号の垂直方向に隣接する画素に対して重み付けがほぼ３対１の比率となる位置に新たな画素を生成する工程とを具備することを特徴とする請求項７乃至１０いずれかに記載の映像信号処理方法。
【請求項１２】
前記複数回フィルタリング処理される画素のうちから取り出す画素を選択する工程は、
前記スケーリング比率に基づいて、前記複数の第１の重み付けフィルタでそれぞれ生成された各画素のいずれかを選択する第１の選択工程と、
前記スケーリング比率に基づいて、前記複数の第２の重み付けフィルタでそれぞれ生成された各画素のいずれかを選択する第２の選択工程と、
前記第１の選択工程で選択された画素と前記第２の選択工程で選択された画素とを合成する工程とを具備することを特徴とする請求項１１記載の映像信号処理方法。
【発明の詳細な説明】
【技術分野】
【０００１】
この発明は、例えば平面パネル型ディスプレイ等に映像信号を表示させるための映像信号処理装置及び映像信号処理方法に係り、特に重み付けフィルタによって新たな画素を生成するものの改良に関する。
【背景技術】
【０００２】
周知のように、近年では、例えば液晶表示パネルやプラズマ表示パネル等を用いた平面パネル型ディスプレイが普及している。また、この種の平面パネル型ディスプレイとしては、映像投射型の、いわゆる、プロジェクタも普及する傾向にある。
【０００３】
ところで、このような平面パネル型ディスプレイにおいては、入力映像信号の画素数を表示パネルの画素数に合わせる、いわゆるスケーリングを行なうために、入力映像信号の画素から重み付けフィルタを用いて新たな画素を生成するようにしている。
【０００４】
しかしながら、現在のスケーリング手段では、例えば１．１倍のように、元の画素数に対して新たに生成する画素数が近似した、つまり、倍率の低いスケーリングを行なうと、スケーリング縞が太く目立ちやすくなる。
【０００５】
これは、隣接する元の画素の中間点に画素を生成する場合と、元の画素に一致する位置に画素を生成する場合とで、重み付けフィルタの特性が異なるからである。すなわち、隣接する元の画素の中間点に画素を生成する方が、元の画素に一致する位置に画素を生成する場合に比べて、重み付けフィルタの低域通過特性が強くなる。
【０００６】
このように生成する画素によって重み付けフィルタの低域通過特性が変化すると、ノイズの減衰が多い部分と少ない部分とが発生するため、そのノイズの強弱がスケーリング縞として表われる。そして、特にスケーリングの倍率が低い場合に、ノイズの強弱が、目立つ太さの縞として表示されることになる。
【０００７】
特許文献１には、原画像の隣接する画素間をｎ分割した各アドレス位置に対応させて、隣接する複数の画素に乗じて補間処理を行なうための複数の補間係数を格納した参照テーブルを備えておき、倍率に応じて設定されるアドレス位置に基づいて、参照テーブルから補間係数を選択する構成が開示されている。
【０００８】
しかしながら、元の画素から新たな画素を生成してスケーリングを行なう技術は、まだまだ開発途上にある段階であり、種々の点でより一層実用に適した手法を開発することが強く要望されている。
【特許文献１】特開平２００２−３７４４０７号公報
【発明の開示】
【発明が解決しようとする課題】
【０００９】
そこで、この発明は上記事情を考慮してなされたもので、汎用の重み付けフィルタを使用して、スケーリングの比率にかかわらずスケーリング縞の発生を抑えることができ、実用に好適する映像信号処理装置及び映像信号処理方法を提供することを目的とする。
【課題を解決するための手段】
【００１０】
この発明に係る映像信号処理装置は、映像信号を受信する受信手段と、受信手段で受信された映像信号の隣接する画素に対して重み付けがほぼ３対１の比率となる位置に新たな画素を生成し、その生成された画素に対して重み付けがほぼ３対１の比率となる位置に新たな画素を生成するという処理を複数回繰り返すフィルタ手段と、出力すべき画素の位置を判別するためのスケーリング比率に基づいて、前記フィルタ手段で複数回処理される画素のうちから取り出す画素を選択する選択手段とを備えるようにしたものである。
【００１１】
また、この発明に係る映像信号処理方法は、映像信号を受信する工程と、受信された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返す工程と、出力すべき画素の位置を判別するためのスケーリング比率に基づいて、複数回フィルタリング処理される画素のうちから取り出す画素を選択する工程とを備えるようにしたものである。
【発明の効果】
【００１２】
上記した発明によれば、受信された映像信号の隣接する画素に対して重み付けがほぼ３対１の比率となる位置に新たな画素を生成し、その生成された画素に対して重み付けがほぼ３対１の比率となる位置に新たな画素を生成するというフィルタリング処理を複数回繰り返し行ない、出力すべき画素の位置を判別するためのスケーリング比率に基づいて、複数回フィルタリング処理される画素のうちから取り出す画素を選択するようにしたので、使用する重み付けフィルタの周波数特性が全て同じになるようにしているため、汎用の重み付けフィルタを使用して、スケーリングの比率にかかわらずスケーリング縞の発生を抑えることができ、実用に好適するものとなる。
【発明を実施するための最良の形態】
【００１３】
以下、この発明の実施の形態について図面を参照して詳細に説明する。すなわち、図１及び図２は、この実施の形態で説明する平面パネル型のテレビジョン受信装置１１を、正面及び側面から見た状態をそれぞれ示している。
【００１４】
このテレビジョン受信装置１１は、主として、キャビネット１２と、このキャビネット１２を支持する支持台１３とから構成されている。このうち、キャビネット１２には、その正面中央部に後述する映像表示器１４の表示パネル１４ａが配置されている。
【００１５】
また、このキャビネット１２には、その表示パネル１４ａの両側に、電源スイッチ１５と、図示しないワイヤレスリモートコントローラから送出された操作情報を受信するための受信部１６とが配置されている。さらに、上記キャビネット１２には、その背面側に、後述する信号処理系を収納した収納部１２ａが設けられている。
【００１６】
一方、上記支持台１３は、キャビネット１２の背面中央部に回動自在に連結されるもので、所定の基台１７の水平面上に載置された状態で、キャビネット１２を起立させて支持するように構成されている。
【００１７】
図３は、上記テレビジョン受信装置１１の信号処理系を示している。すなわち、アンテナ１８で受信したテレビジョン放送信号は、入力端子１９を介した後、チューナ部２０に供給されて所定のチャンネルの放送信号が選局される。
【００１８】
そして、チューナ部２０から出力された放送信号は、周波数変換部２１に供給されて中間周波数信号に変換された後、デジタル信号処理部２２によりデジタルの映像信号に復元され、セレクタ２３に供給される。
【００１９】
一方、このテレビジョン受信装置１１は、外部の任意のソースからコンポーネント形式またはＲＧＢ形式で発生される映像信号を、入力端子２４を介して受信する。この入力端子２４に供給された映像信号は、Ａ／Ｄ（Analog／Digital）変換部２５に供給されてデジタル化された後、上記セレクタ２３に供給される。
【００２０】
このセレクタ２３は、入力される２種類の映像信号を選択的にスケーリング部２６に導出している。このスケーリング部２６は、入力された映像信号に対して、その画素数を前記映像表示部１４の表示パネル１４ａの画素数に合わせるスケーリング処理を施し、映像処理部２７に出力している。
【００２１】
この映像処理部２７は、入力された映像信号に対して前記映像表示器１４で映像表示させるための処理を施している。そして、この映像処理部２７から出力された映像信号は、ドライバ２８を介して映像表示器１４に供給されて映像表示される。
【００２２】
ここで、このテレビジョン受信装置１１は、上記した各種の受信動作を含むその全ての動作を制御部２９によって統括的に制御されている。この制御部２９は、ＣＰＵ（Central Processing Unit）等を内蔵しており、前記電源スイッチ１５を含む操作部３０からの操作情報を受け、または、リモートコントローラ３１から送出された操作情報を前記受信部１６を介して受信し、その操作内容が反映されるように各部をそれぞれ制御している。
【００２３】
この場合、制御部２９は、メモリ部３２を利用している。すなわち、このメモリ部３２は、主として、制御部２９のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２４】
図４は、上記テレビジョン受信装置１１を背面から見た状態を示している。そして、キャビネット１２の収納部１２ａには、その中央部にドライバ２８及びスケーリング部２６が配置され、その図中右側に電源部３３が配置され、その図中左側にその他の部分を含むブロック部３４が配置されている。
【００２５】
図５は、上記スケーリング部２６の詳細を示している。すなわち、前記セレクタ２３で導出された映像信号のうち、水平成分は、入力端子２６ａを介して多段（図示の場合は４つ）接続された重み付けフィルタ２６ｂ，２６ｃ，２６ｄ，２６ｅを介してセレクタ２６ｆに供給されている。また、各重み付けフィルタ２６ｂ，２６ｃ，２６ｄの出力も、セレクタ２６ｆに供給されている。
【００２６】
一方、前記セレクタ２３で導出された映像信号のうち、垂直成分は、入力端子２６ｇを介して多段（図示の場合は４つ）接続された重み付けフィルタ２６ｈ，２６ｉ，２６ｊ，２６ｋを介してセレクタ２６ｌに供給されている。また、各重み付けフィルタ２６ｈ，２６ｉ，２６ｊの出力も、セレクタ２６ｌに供給されている。
【００２７】
そして、上記セレクタ２６ｆ，２６ｌは、それぞれ、制御端子２６ｍを介して供給される前記制御部２９からの選択制御信号に基づいて、４つの入力のうちの１つを選択的に導出している。その後、各セレクタ２６ｆ，２６ｌから導出された映像信号は、合成部２６nで合成され、出力端子２６ｏを介して前記映像処理部２７に出力される。
【００２８】
ここで、上記重み付けフィルタ２６ｂ，２６ｃ，２６ｄ，２６ｅは、いずれも、入力された水平方向に隣接する２つの画素に対して、重み付けが３対１の比率となる位置に新たな画素を生成するように機能する。
【００２９】
すなわち、図６に示すように、重み付けフィルタ２６ｂは、入力端子２６ａに入力された水平方向に隣接する元の２つの画素に対して、生成画素１で示すように、重み付けが３対１の比率となる位置に新たな画素を生成している。
【００３０】
また、重み付けフィルタ２６ｃは、入力された生成画素１の隣接する２つの画素に対して、生成画素２で示すように、重み付けが３対１の比率となる位置に新たな画素を生成している。
【００３１】
さらに、重み付けフィルタ２６ｄは、入力された生成画素２の隣接する２つの画素に対して、生成画素３で示すように、重み付けが３対１の比率となる位置に新たな画素を生成している。
【００３２】
また、重み付けフィルタ２６ｅは、入力された生成画素３の隣接する２つの画素に対して、生成画素４で示すように、重み付けが３対１の比率となる位置に新たな画素を生成している。
【００３３】
すなわち、元の画素に対して、均一の重み付けで無数の画素を生成することが可能となる。そして、上記セレクタ２６ｆは、制御部２９からの選択制御信号に基づいて、生成画素１，２，３，４のいずれかを選択することになる。
【００３４】
また、上記重み付けフィルタ２６ｈ，２６ｉ，２６ｊ，２６ｋも、それぞれ、入力された垂直方向に隣接する２つの画素に対して、重み付けが３対１の比率となる位置に新たな画素を生成するように機能する。
【００３５】
そして、上記セレクタ２６ｌは、制御部２９からの選択制御信号に基づいて、重み付けフィルタ２６ｈ，２６ｉ，２６ｊ，２６ｋで生成された画素のいずれかを選択することになる。
【００３６】
この場合、上記制御部２９は、スケーリングの倍率に応じて選択制御信号を発生している。その後、各セレクタ２６ｆ，２６ｌから導出された生成画素が合成部２６ｎによって合成されることにより、新たに生成された画素によって平面が構築される。
【００３７】
図７は、上記重み付けフィルタ２６ｂ，２６ｃ，２６ｄ，２６ｅと上記重み付けフィルタ２６ｈ，２６ｉ，２６ｊ，２６ｋとにより、新たな画素が生成されていく様子を平面的に示している。
【００３８】
すなわち、元の画素ＡＨ１，ＡＨ２，ＡＨ３，ＡＶ１，ＡＶ２，ＡＶ３から新たな画素ＢＨ１〜ＢＨ４，ＢＶ１〜ＢＶ４が生成され、それからまた新たな画素ＣＨ１〜ＣＨ８，ＣＶ１〜ＣＶ８が生成され、それからさらに新たな画素ＤＨ１〜ＤＨ１６，ＤＶ１〜ＤＶ１６が生成されというように、画素が面状に生成されていく様子を見ることができる。
【００３９】
例えば、ＢＨ１，ＢＶ２で示される画素は、図中に矢印で示すように、ＡＨ１，ＡＶ１で示される画素と、ＡＨ２，ＡＶ１で示される画素と、ＡＨ１，ＡＶ２で示される画素と、ＡＨ２，ＡＶ２で示される画素とから構成されていることがわかる。
【００４０】
図８は、入力映像信号の画素（元の画素）と、映像表示器１４の表示パネル１４ａ上における画素（得たい画素）と、生成画素１〜４との関係を示している。すなわち、元の画素Ａ，Ｂ，Ｃ，Ｄから、得たい画素ａ，ｂ，ｃ，ｄ，ｅ，ｆ，ｇ，ｈ，ｉを求める場合、現状では、得たい画素の位置に応じて、元の画素にばらばらに重み付けフィルタリング処理を施し、各画素ａ，ｂ，ｃ，ｄ，ｅ，ｆ，ｇ，ｈ，ｉを得るようにしている。
【００４１】
しかしながら、このように生成する画素によって重み付けフィルタの周波数特性が異なると、前述したように、ノイズの減衰が多い部分と少ない部分とが発生するため、そのノイズの強弱がスケーリング縞として表われることになる。
【００４２】
この実施の形態では、隣接する２つの画素に対して、重み付けが３対１の比率となる位置に新たな画素を生成するように機能する重み付けフィルタ２６ｂ〜２６ｅ，２６ｈ〜２６ｋを用いて複数の画素１〜４を生成し、その生成画素１〜４の中から、図８に矢印で示すように、得たい画素に一番近似した画素を選択するようにしている。すなわち、使用する重み付けフィルタ２６ｂ〜２６ｅ，２６ｈ〜２６ｋの周波数特性が全て同じになるようにしているため、スケーリング縞の発生を抑えることができる。
【００４３】
図９は、生成された無数の画素から、スケーリングの比率に対応した画素を選択する動作をまとめたフローチャートを示している。すなわち、処理が開始（ステップＳ１）されると、上記制御部２９は、ステップＳ２で、入力された映像信号の画素数と出力すべき画素数とからスケーリング値を算出する。
【００４４】
このスケーリング値は、例えば、図８において、元の画素Ａと得たい画素ａとが同じ位置にあるとした場合、得たい画素ｂが画素ａに対してどのくらい離れた位置にあるのかを示す値である。
【００４５】
そして、制御部２９は、ステップＳ３で、算出したスケーリング値から、得たい画素ｂ，ｃ，ｄ，ｅ，ｆ，ｇ，ｈ，ｉの位置をそれぞれ判別するスケーリング比率計算を行ない、ステップＳ４で、算出されたスケーリング比率に対応した生成画素を判別する。
【００４６】
この判別は、例えば、図１０に示すような、比率と図６に示した生成画素１〜４とを対応させたテーブルをメモリ部３２に記憶させておき、このテーブルから、算出された比率に対応する生成画素を判別することができる。
【００４７】
そして、生成画素が判別されると、制御部２９は、ステップＳ５で、その生成画素を選択するための選択制御信号をスケーリング部２６に出力して、処理を終了（ステップＳ６）する。
【００４８】
なお、上記した実施の形態では、水平及び垂直方向にそれぞれ４つの重み付けフィルタ２６ｂ〜２６ｅ，２６ｈ〜２６ｋを使用して、４種類の生成画素１〜４を生成するようにしたが、重み付けフィルタの段数を多くして生成画素の数を５種類以上に増やすことも可能である。生成画素の数は、処理速度、回路規模、求められる画質等に応じて適宜設定可能である。
【００４９】
また、重み付けフィルタ２６ｂ〜２６ｅ，２６ｈ〜２６ｋとしては、重み付けがほぼ３対１の比率となる位置に新たな画素を生成する機能を有していれば良いものである。すなわち、周波数特性が全て同じになっていればよいものである。
【００５０】
さらに、上記した実施の形態では、テレビジョン受信装置１１について説明したが、これに限らず、例えばＳＴＢ（Set Top Box）やＰＤＡ（Personal Digital Assistants）にも使用することが可能である。
【００５１】
図１１は、ＳＴＢ３５を示している。図３と同一部分に同一符号を付して説明すると、映像処理部２７で生成された映像信号を出力端子３６を介して外部に取り出せるようにしている。この場合、出力端子３６を介して取り出された映像信号は、ドライバ３７及び映像表示器３８を備えたフラットパネルディスプレイ３９によって映像表示される。
【００５２】
図１２は、ＰＤＡ４０を示している。図３と同一部分に同一符号を付して説明すると、アンテナ１８、入力端子１９、チューナ部２０、周波数変換部２１、デジタル信号処理部２２、セレクタ２３及び受信部１６等の搭載されない携帯用情報端末となっている。
【００５３】
これらＳＴＢ３５やＰＤＡ４０のスケーリング部２６も、図５に示した構成とすることが可能である。
【００５４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５５】
【図１】この発明の実施の形態を示すもので、テレビジョン受信装置の外観を説明するために示す正面図。
【図２】同実施の形態におけるテレビジョン受信装置の外観を説明するために示す側面図。
【図３】同実施の形態におけるテレビジョン受信装置の信号処理系を説明するために示すブロック構成図。
【図４】同実施の形態におけるテレビジョン受信装置の外観を説明するために示す背面図。
【図５】同実施の形態におけるテレビジョン受信装置のスケーリング部の詳細を説明するために示すブロック構成図。
【図６】同実施の形態におけるテレビジョン受信装置のスケーリング部の一次元的な動作を説明するために示す図。
【図７】同実施の形態におけるテレビジョン受信装置のスケーリング部の二次元的な動作を説明するために示す図。
【図８】同実施の形態におけるテレビジョン受信装置のスケーリング部の主要な動作を説明するために示す図。
【図９】同実施の形態におけるテレビジョン受信装置のスケーリング部の主要な動作を説明するために示すフローチャート。
【図１０】同実施の形態におけるテレビジョン受信装置のスケーリング部が使用するテーブルを説明するために示す図。
【図１１】この発明が適用されたＳＴＢの一例を説明するために示すブロック構成図。
【図１２】この発明が適用されたＰＤＡの一例を説明するために示すブロック構成図。
【符号の説明】
【００５６】
１１…テレビジョン受信装置、１２…キャビネット、１３…支持台、１４…映像表示器、１５…電源スイッチ、１６…受信部、１７…基台、１８…アンテナ、１９…入力端子、２０…チューナ部、２１…周波数変換部、２２…デジタル信号処理部、２３…セレクタ、２４…入力端子、２５…Ａ／Ｄ変換部、２６…スケーリング部、２７…映像処理部、２８…ドライバ、２９…制御部、３０…操作部、３１…リモートコントローラ、３２…メモリ部、３３…電源部、３４…ブロック部、３５…ＳＴＢ、３６…出力端子、３７…ドライバ、３８…映像表示器、３９…フラットパネルディスプレイ、４０…ＰＤＡ。
【図１】
2006019950.tif 000003
【図２】
2006019950.tif 000004
【図３】
2006019950.tif 000005
【図４】
2006019950.tif 000006
【図５】
2006019950.tif 000007
【図６】
2006019950.tif 000008
【図７】
2006019950.tif 000009
【図８】
2006019950.tif 000010
【図９】
2006019950.tif 000011
【図１０】
2006019950.tif 000012
【図１１】
2006019950.tif 000013
【図１２】
2006019950.tif 000014